(57)【要約】【課題】入力された飛び越し走査方式の映像信号を、順次走査方式に信号変換し、その信号をソフトウェアを用いずに９０度回転させることで、ハードウェアのみで画像を回転させるため、映像の劣化や高コスト化を招かずに、オンエア映像やビデオテープなどの一般に流通している映像を加工せずに映像再生機にて再生した映像をリアルタイムに９０度回転させることにより、高画質の映像を商用や情報発信目的に使用することを可能にする実用的で画期的な映像信号の９０度回転表示方法並びに映像信号の９０度回転表示装置を提供すること。【解決手段】飛び越し走査方式の映像信号を９０度回転させるために、順次走査方式に信号変換し、その信号を９０度回転させて、リアルタイムに表示器に送出し表示する映像信号の９０度回転表示方法。【選択図】　　　　図１
2004012517.tif 000002
【特許請求の範囲】
【請求項１】
飛び越し走査方式の映像信号を９０度回転させるために、順次走査方式に信号変換し、その信号を９０度回転させて、リアルタイムに表示器に送出し表示する映像信号の９０度回転表示方法。
【請求項２】
入力された飛び越し走査方式の映像信号を、順次走査方式化回路で順次走査方式に変換し、その画像をメモリに書き込み、書き込んだ画像データを、９０度回転したアドレスで読み出すことによって、画像を回転させ、リアルタイムに表示器に送出し表示する請求項１記載の映像信号の９０度回転表示方法。
【請求項３】
入力された飛び越し走査方式のアナログビデオ信号を、デコード回路によって量子化してデコードし、量子化した画像データを順次走査方式化回路で順次走査方式に変換し、その画像をアドレス発生回路で作成されるアドレスに基づいてメモリに書き込み、９０度回転したアドレスに基づいて読み出し、Ｄ／Ａコンバータでアナログ信号化することによって、画像を回転させ、リアルタイムに表示器に送出し表示する請求項２記載の映像信号の９０度回転表示方法。
【請求項４】
飛び越し走査方式の映像信号を、順次走査方式に信号変換する順次走査化回路と、その信号を９０度回転させる信号回転装置から成り、９０度回転させた映像信号をリアルタイムに表示器に送出できるように構成したことを特徴とする映像信号の９０度回転表示装置。
【請求項５】
入力された飛び越し走査方式映像信号を、順次走査方式に変換する順次走査化回路と、順次走査方式に変換された信号を画像データとして保存するメモリと、前記画像データを前記メモリの指定のアドレスに書き込み、指定のアドレスから読み込むためのアドレス発生回路とから成り、前記メモリから読み込む際に前記画像データを９０度回転させ、リアルタイムに表示器に表示できるように構成したことを特徴とする請求項４記載の映像信号の９０度回転表示装置。
【請求項６】
入力された飛び越し走査方式のアナログビデオ信号をデコードするデコーダ回路と、デコードされた前記飛び越し走査方式のアナログビデオ信号を順次走査方式に変換する順次走査方式化回路と、この順次走査方式に変換された前記飛び越し走査方式のアナログビデオ信号を画像データとして保存するメモリと、前記画像データを前記メモリの指定のアドレスに書き込み、指定のアドレスから読み込むためのアドレス発生回路と、読み込んだ前記画像データをアナログ信号化するＤ／Ａコンバータとから成り、前記メモリから読み込む際に前記画像データを９０度回転させ、リアルタイムに表示器に表示できるように構成したことを特徴とする請求項５記載の映像信号の９０度回転表示装置。
【発明の詳細な説明】
【０００１】
【発明の属する技術分野】
本発明は、映像信号の９０度回転表示方法並びに回転表示装置に関するものである。
【０００２】
例えば、ポスターのような縦長の画面にするために、９０度回転させて設置した映像信号受像機にＮＴＳＣテレビ映像を映出するためにＮＴＳＣテレビ映像をリアルタイムに９０度回転させる方法並びにその装置に関するものである。
【０００３】
【従来の技術及び発明が解決しようとする課題】
ポスターのような縦長にするために、横長の表示装置を９０度回転し、電子的看板として、商業施設や公共スペースに設置するケースが増えている。
【０００４】
この場合、コンピュータの映像をソフトウェアで９０度回転させ、文字や絵が横にならないように配慮されている。
【０００５】
しかしながら、コンピュータでは通常ＴＶ受像機で見ることのできる実写のコマーシャル映像や、ドラマやスポーツなどの動画を映出することができない。
【０００６】
この問題を解決するために、現在収録時にテレビカメラを９０度回転させ、その映像をデジタルビデオディスク（ＤＶＤ）に焼き付けてディスクを供給する方法が一般的であるが、オンエアされている映像をリアルタイムに映出することができず、またＤＶＤの製作にはコストと手間がかかるという欠点がある。
【０００７】
また、リアルタイムに映出するために、映像をパーソナルコンピュータに取り込んでソフトウェアで９０度回転させて映出する方法が試みられているが、映像の画質が極端に落ち、とても商用には耐えないものであるのが現状である。
【０００８】
本発明は、このような現状に鑑み、入力された飛び越し走査方式の映像信号を、順次走査方式に信号変換し、その信号をソフトウェアを用いずに９０度回転させることで、ハードウェアのみで画像を回転させるため、映像の劣化や高コスト化を招かずに、オンエア映像やビデオテープなどの一般に流通している映像を加工せずに映像再生機にて再生した映像をリアルタイムに９０度回転させることにより、高画質の映像を商用や情報発信目的に使用することを可能にする実用的で画期的な映像信号の９０度回転表示方法並びに回転装置を提供するものである。
【０００９】
【課題を解決するための手段】
本発明の要旨を説明する。
【００１０】
飛び越し走査方式の映像信号を９０度回転させるために、順次走査方式に信号変換し、その信号を９０度回転させて、リアルタイムに表示器に送出し表示する映像信号の９０度回転表示方法に係るものである。
【００１１】
また、入力された飛び越し走査方式の映像信号を、順次走査方式化回路で順次走査方式に変換し、その画像をメモリに書き込み、書き込んだ画像データを、９０度回転したアドレスで読み出すことによって、画像を回転させ、リアルタイムに表示器に送出し表示する請求項１記載の映像信号の９０度回転表示方法に係るものである。
【００１２】
また、入力された飛び越し走査方式のアナログビデオ信号を、デコード回路によって量子化してデコードし、量子化した画像データを順次走査方式化回路で順次走査方式に変換し、その画像をアドレス発生回路で作成されるアドレスに基づいてメモリに書き込み、９０度回転したアドレスに基づいて読み出し、Ｄ／Ａコンバータでアナログ信号化することによって、画像を回転させ、リアルタイムに表示器に送出し表示する請求項２記載の映像信号の９０度回転表示方法に係るものである。
【００１３】
また、飛び越し走査方式の映像信号を、順次走査方式に信号変換する順次走査化回路と、その信号を９０度回転させる信号回転装置から成り、９０度回転させた映像信号をリアルタイムに表示器に送出できるように構成したことを特徴とする映像信号の９０度回転表示装置に係るものである。
【００１４】
また、入力された飛び越し走査方式映像信号を、順次走査方式に変換する順次走査化回路と、順次走査方式に変換された信号を画像データとして保存するメモリと、前記画像データを前記メモリの指定のアドレスに書き込み、指定のアドレスから読み込むためのアドレス発生回路とから成り、前記メモリから読み込む際に前記画像データを９０度回転させ、リアルタイムに表示器に表示できるように構成したことを特徴とする請求項４記載の映像信号の９０度回転表示装置に係るものである。
【００１５】
また、入力された飛び越し走査方式のアナログビデオ信号をデコードするデコーダ回路と、デコードされた前記飛び越し走査方式のアナログビデオ信号を順次走査方式に変換する順次走査方式化回路と、この順次走査方式に変換された前記飛び越し走査方式のアナログビデオ信号を画像データとして保存するメモリと、前記画像データを前記メモリの指定のアドレスに書き込み、指定のアドレスから読み込むためのアドレス発生回路と、読み込んだ前記画像データをアナログ信号化するＤ／Ａコンバータとから成り、前記メモリから読み込む際に前記画像データを９０度回転させ、リアルタイムに表示器に表示できるように構成したことを特徴とする請求項５記載の映像信号の９０度回転表示装置に係るものである。
【００１６】
【発明の実施の形態】
好適と考える本発明の実施の形態（発明をどのように実施するか）を、その作用効果を示して簡単に説明する。
【００１７】
例えば、オンエア映像から取り出した飛び越し走査方式の映像信号を順次走査方式化回路に入力することで、順次走査方式の映像信号に変換され、この順次走査方式に変換された映像信号を、信号回転装置に入力することで、映像信号を９０度回転させてリアルタイムで送出し、縦長とした映像信号受像機に表示する。
【００１８】
従って、上記構成の映像信号の９０度回転表示方法を用いて、オンエア映像などの一般に流通している映像をリアルタイムに９０度回転させ、縦長とした本来横長の映像信号受像機に表示すると、ソフトウェアを用いずに、ハードウェアのみで画像を回転させることができるため、映像の劣化や高コスト化を招かずに、一般に流通している映像をリアルタイムに９０度回転させて表示することができる。
【００１９】
【実施例】
本発明の具体的な実施例について図面に基づいて説明する。
【００２０】
本実施例では、入力された飛び越し走査方式のアナログビデオ信号を、デコード回路によって量子化してデコードし、量子化した画像データを順次走査方式化回路で順次走査方式に変換し、その画像をアドレス発生回路で作成されるアドレスに基づいてメモリに書き込み、９０度回転したアドレスに基づいて読み出し、Ｄ／Ａコンバータでアナログ信号化することによって、画像を回転させ、リアルタイムに表示器に送出し表示する。
【００２１】
即ち、本実施例の映像信号の９０度回転表示装置は、以下のように構成している。
【００２２】
図１に示すように、入力された飛び越し走査方式のアナログビデオ信号１をデコードするデコーダ回路２と、デコードされた飛び越し走査方式のアナログビデオ信号１を順次走査方式に変換する順次走査方式化回路３と、この順次走査方式に変換された飛び越し走査方式のアナログビデオ信号１を画像データとして保存するメモリ４と、画像データをメモリ４の指定のアドレスであるメモリ書き込みアドレス８に書き込み、指定のアドレスであるメモリ読み出しアドレス９から読み込むためのアドレス発生回路６と、読み込んだ画像データをアナログ信号化するＤ／Ａコンバータ５とから成り、メモリ４から読み込む際に画像データを９０度回転させ、この回転画像出力７をリアルタイムに表示器に表示できるように構成した。
【００２３】
デコードとは、符号化された情報を解読し、実際の動作を引き起こす信号を作り出すことである。
【００２４】
デコーダ回路は、入力されたアナログ信号を量子化してディジタル信号に変換するように構成した。
【００２５】
飛び越し走査方式とは、一つの画像を５２５本の走査線で表示するが秒間６０コマで伝送すると伝送量が多くなってしまうので、２コマで一つの画像を表示する、つまり、最初の一コマ目は１〜５２５の奇数本目を走査し、次の一コマで２〜５２４の偶数本目を走査するため、残像現象により見た目には秒間６０コマの動画を送っているように見え、伝送量は半分で済むという方式である。
【００２６】
順次走査方式とは、飛び越し走査を行わず、順次走査で秒間６０コマ全て伝送するため、伝送量は多いがちらつきが少なくて済むという方式である。
【００２７】
順次走査化回路は、入力された飛び越し走査方式の信号を、順次走査方式に変換するように構成した。
【００２８】
アドレスとは、情報を記憶するものであるメモリのどの場所に、どのデータを入れたのかを把握するために、記憶した場所を管理するためのものである。
【００２９】
アドレス発生回路は、書き込む際のメモリ書き込みアドレスと、読み込む際の９０度回転させた画像を置くメモリ読み出しアドレスを作成するように構成した。
【００３０】
本実施例は、上述のように構成したから、ソフトウェアを用いておらず、ハードウェアのみで画像を回転させることができるため、オンエア映像やビデオテープなどの一般に流通している映像を加工せずに映像再生機にて再生した映像をリアルタイムに９０度回転することにより高画質の映像を商用や、情報発信目的に使用することを可能にするものである。
【００３１】
【発明の効果】
本発明は上述のように構成したから、入力された飛び越し走査方式の映像信号を、順次走査方式に信号変換し、その信号をソフトウェアを用いずに９０度回転させることで、ハードウェアのみで画像を回転させるため、映像の劣化や高コスト化を招かずに、オンエア映像やビデオテープなどの一般に流通している映像を加工せずに映像再生機にて再生した映像をリアルタイムに９０度回転させることにより、高画質の映像を商用や情報発信目的に使用することを可能にする実用的で画期的な映像信号の９０度回転表示方法並びに映像信号の９０度回転表示装置となる。
【図面の簡単な説明】
【図１】本実施例の構成概略説明図である。
【図１】
2004012517.tif 000003